(57)【特許請求の範囲】
【請求項１】
紙幣を１枚ずつ機体内部に取り込む受入部と、
前記受入部により機体内部に取り込まれた紙幣を１枚ずつ搬送する搬送部と、
前記搬送部に設けられ、当該搬送部により搬送される紙幣の識別および計数を行う識別部と、
前記搬送部に接続され、前記識別部により所定の紙幣であると識別された紙幣を集積する１つの集積部と、
前記搬送部に接続され、前記集積部に集積すべきでない紙幣を集積する１つのリジェクト部と、
前記識別部による紙幣の計数結果を表示する表示部と、
通常モードによって前記受入部により機体内部に取り込まれた紙幣が全て前記集積部または前記リジェクト部に送られた後に、前記リジェクト部に集積された紙幣を再度識別する際に、通常モードから特定モードに切り換えるモード切換手段と、
前記モード切換手段により特定モードが設定されると、前記識別部での識別要素の少なくとも一つを省略して紙幣の識別を行い、その識別結果に基づいて前記集積部および前記リジェクト部のいずれか一方に紙幣を送るように前記搬送部を制御するとともに、前記通常モードでの紙幣の計数結果と前記特定モードでの紙幣の計数結果とを区別して前記表示部に表示させる制御を行う制御部と、
を備えたことを特徴とする紙幣処理装置。
【請求項２】
前記通常モードにおいて、前記識別部が紙幣の金種および真偽を識別するとともに紙幣の計数を行うようになっており、かつ、異なる金種の紙幣が混合して前記集積部に集積されるようになっている場合には、前記特定モードにおいて、前記識別部は紙幣の金種のみを識別するとともに紙幣の計数を行うことを特徴とする請求項１記載の紙幣処理装置。
【請求項３】
前記通常モードにおいて、前記識別部が紙幣の金種および真偽を識別するとともに紙幣の計数を行うようになっており、かつ、一つの金種の紙幣のみが前記集積部に集積されて他の金種の紙幣は前記リジェクト部に集積されるようになっている場合には、前記特定モードにおいて、前記識別部は紙幣の金種および真偽のうち少なくとも一つを識別しないとともに紙幣の計数を行うことを特徴とする請求項１記載の紙幣処理装置。
【請求項４】
前記通常モードにおいて、前記識別部が紙幣の金種、真偽および正損を識別するとともに紙幣の計数を行うようになっており、かつ、正券および損券のうち一方の種別である、異なる金種の紙幣が混合して前記集積部に集積されるようになっている場合には、前記特定モードにおいて、前記識別部は紙幣の真偽および正損のうち少なくとも一つを識別しないとともに紙幣の計数を行うことを特徴とする請求項１記載の紙幣処理装置。
【請求項５】
前記制御部は、前記通常モードでの正券および損券の各々の計数結果と、前記特定モードでの正券または損券の計数結果とをそれぞれ区別して前記表示部に表示させる制御を行うことを特徴とする請求項４記載の紙幣処理装置。
【請求項６】
前記通常モードにおいて、前記識別部が紙幣の金種、真偽および正損を識別するとともに紙幣の計数を行うようになっており、かつ、正券および損券のうち一方の種別である、一つの金種の紙幣のみが前記集積部に集積されて他の紙幣は前記リジェクト部に集積されるようになっている場合には、前記特定モードにおいて、前記識別部は紙幣の金種、真偽および正損のうち少なくとも一つを識別しないとともに紙幣の計数を行うことを特徴とする請求項１記載の紙幣処理装置。
【請求項７】
前記制御部は、前記通常モードでの正券および損券の各々の計数結果と、前記特定モードでの正券または損券の計数結果とをそれぞれ区別して前記表示部に表示させる制御を行うことを特徴とする請求項６記載の紙幣処理装置。
【請求項８】
前記制御部は、前記特定モード時における紙幣の搬送速度が前記通常モード時における紙幣の搬送速度よりも小さくなるよう前記搬送部の制御を行うことを特徴とする請求項１乃至７のいずれか一項に記載の紙幣処理装置。
【請求項９】
前記特定モードにおいて前記識別部により紙幣の搬送異常に係る識別が行われる際に、重送および長さ異常以外の紙幣の搬送異常が検出された場合でも前記制御部においてこの紙幣は搬送異常ではない紙幣として扱われるようになっていることを特徴とする請求項１乃至８のいずれか一項に記載の紙幣処理装置。
【発明の詳細な説明】
【技術分野】
【０００１】
本発明は、紙幣の計数を行う紙幣処理装置に関し、とりわけ、紙幣の処理効率を向上させることができ、また違算の発生を抑制することができる紙幣処理装置に関する。
【背景技術】
【０００２】
従来から、紙幣の計数を行う紙幣処理装置として、様々な種類のものが用いられている。このような紙幣処理装置として、例えば１つのスタッカおよび１つのリジェクト部のみが設けられたシンプルなタイプのものが用いられる場合がある。このタイプの紙幣処理装置では、多数の紙幣を積層状態で受入部（具体的には、例えばホッパ）に載せてセットし、この受入部に設けられた繰出機構により紙幣を１枚ずつ機体内部に取り込み、機体内部に取り込まれた紙幣について識別部により識別および計数を行い、識別結果に基づいて紙幣をスタッカおよびリジェクト部のうちいずれか一方に送るようになっている。
【０００３】
上述のような紙幣処理装置では、識別部により識別することができなかった紙幣はリジェクト部に集積される。このようなリジェクト部に集積された紙幣を計数結果に反映させる方法として、リジェクト部に集積された紙幣に係る情報を操作者が手入力する方法が従来から用いられてきた。しかしながら、このような方法では、リジェクト部に集積された紙幣について操作者は目視にてその金種および枚数を確認して手入力する必要があり、効率が悪い上に入力ミス等により違算が発生するおそれがある。
【０００４】
また、紙幣の計数を行う紙幣処理装置として、リジェクト部が設けられておらず、１つのスタッカのみが設けられたタイプのものもある（例えば、特許文献１等参照）。このようなタイプの紙幣処理装置では、識別部により識別することができない紙幣が当該識別部を通過した場合には装置全体の動作が強制的に停止させられ、操作者がこの紙幣の金種を目視にて確認して手入力するようになっている。しかしながら、このようなリジェクト部が設けられていない紙幣処理装置では、識別部により識別することができない紙幣が当該識別部を通過する度に装置全体の動作が停止してしまうので、紙幣の処理効率が低下してしまうという問題がある。
【先行技術文献】
【特許文献】
【０００５】
【特許文献１】特開２００１−１８４４７８号公報
【発明の概要】
【発明が解決しようとする課題】
【０００６】
本発明は、このような点を考慮してなされたものであり、紙幣の処理効率を向上させることができ、また違算の発生を抑制することができる紙幣処理装置を提供することを目的とする。また、本発明の紙幣処理装置では、表示部において、通常モードにおける紙幣の計数結果と特定モードにおける紙幣の計数結果とが区別して表示されるので、操作者は、通常モードの計数処理において集積部およびリジェクト部にそれぞれ集積された紙幣の枚数を区別して認識することができる。
【課題を解決するための手段】
【０００７】
本発明の紙幣処理装置は、紙幣を１枚ずつ機体内部に取り込む受入部と、前記受入部により機体内部に取り込まれた紙幣を１枚ずつ搬送する搬送部と、前記搬送部に設けられ、当該搬送部により搬送される紙幣の識別および計数を行う識別部と、前記搬送部に接続され、前記識別部により所定の紙幣であると識別された紙幣を集積する１つの集積部と、前記搬送部に接続され、前記集積部に集積すべきでない紙幣を集積する１つのリジェクト部と、前記識別部による紙幣の計数結果を表示する表示部と、通常モードによって前記受入部により機体内部に取り込まれた紙幣が全て前記集積部または前記リジェクト部に送られた後に、前記リジェクト部に集積された紙幣を再度識別する際に、通常モードから特定モードに切り換えるモード切換手段と、前記モード切換手段により特定モードが設定されると、前記識別部での識別要素の少なくとも一つを省略して紙幣の識別を行い、その識別結果に基づいて前記集積部および前記リジェクト部のいずれか一方に紙幣を送るように前記搬送部を制御するとともに、前記通常モードでの紙幣の計数結果と前記特定モードでの紙幣の計数結果とを区別して前記表示部に表示させる制御を行う制御部と、を備えたことを特徴とする。
【０００８】
このような紙幣処理装置によれば、通常モードによって受入部により機体内部に取り込まれた紙幣が全て集積部またはリジェクト部に送られた後に、リジェクト部に集積された紙幣を再度識別する際に、モード切換手段により、通常モードから特定モードに切り換えられ、モード切換手段により特定モードが設定されると、識別部での識別要素の少なくとも一つを省略して紙幣の識別が行われるようになっている。このため、通常モードの計数処理においてリジェクト部に集積された紙幣について手入力を行う必要がなく自動的に計数を行うことができるようになり、紙幣の処理効率を向上させることができ、また違算の発生を抑制することができる。また、通常モードでの紙幣の計数結果と特定モードでの紙幣の計数結果とが区別して表示部に表示されるようになっている。このため、操作者は、通常モードの計数処理において集積部およびリジェクト部にそれぞれ集積された紙幣の枚数を区別して認識することができる。
【０００９】
本発明の紙幣処理装置においては、前記通常モードにおいて、前記識別部が紙幣の金種および真偽を識別するとともに紙幣の計数を行うようになっており、かつ、異なる金種の紙幣が混合して前記集積部に集積されるようになっている場合には、前記特定モードにおいて、前記識別部は紙幣の金種のみを識別するとともに紙幣の計数を行うようになっていてもよい。
【００１０】
あるいは、前記通常モードにおいて、前記識別部が紙幣の金種および真偽を識別するとともに紙幣の計数を行うようになっており、かつ、一つの金種の紙幣のみが前記集積部に集積されて他の金種の紙幣は前記リジェクト部に集積されるようになっている場合には、前記特定モードにおいて、前記識別部は紙幣の金種および真偽のうち少なくとも一つを識別しないとともに紙幣の計数を行うようになっていてもよい。
【００１１】
あるいは、前記通常モードにおいて、前記識別部が紙幣の金種、真偽および正損を識別するとともに紙幣の計数を行うようになっており、かつ、正券および損券のうち一方の種別である、異なる金種の紙幣が混合して前記集積部に集積されるようになっている場合には、前記特定モードにおいて、前記識別部は紙幣の真偽および正損のうち少なくとも一つを識別しないとともに紙幣の計数を行うようになっていてもよい。
【００１２】
この際に、前記制御部は、前記通常モードでの正券および損券の各々の計数結果と、前記特定モードでの正券または損券の計数結果とをそれぞれ区別して前記表示部に表示させる制御を行うようになっていてもよい。
【００１３】
あるいは、前記通常モードにおいて、前記識別部が紙幣の金種、真偽および正損を識別するとともに紙幣の計数を行うようになっており、かつ、正券および損券のうち一方の種別である、一つの金種の紙幣のみが前記集積部に集積されて他の紙幣は前記リジェクト部に集積されるようになっている場合には、前記特定モードにおいて、前記識別部は紙幣の金種、真偽および正損のうち少なくとも一つを識別しないとともに紙幣の計数を行うようになっていてもよい。
【００１４】
この際に、前記制御部は、前記通常モードでの正券および損券の各々の計数結果と、前記特定モードでの正券または損券の計数結果とをそれぞれ区別して前記表示部に表示させる制御を行うようになっていてもよい。
【００１５】
本発明の紙幣処理装置においては、前記制御部は、前記特定モード時における紙幣の搬送速度が前記通常モード時における紙幣の搬送速度よりも小さくなるよう前記搬送部の制御を行うようになっていてもよい。
【００１６】
本発明の紙幣処理装置においては、前記特定モードにおいて前記識別部により紙幣の搬送異常に係る識別が行われる際に、重送および長さ異常以外の紙幣の搬送異常が検出された場合でも前記制御部においてこの紙幣は搬送異常ではない紙幣として扱われるようになっていてもよい。
【発明の効果】
【００１７】
本発明の紙幣処理装置によれば、紙幣の処理効率を向上させることができ、また違算の発生を抑制することができ、さらに、操作者は、通常モードの計数処理において集積部およびリジェクト部にそれぞれ集積された紙幣の枚数を区別して認識することができるようになる。
【図面の簡単な説明】
【００１８】
【図１】本発明の一の実施の形態による紙幣処理装置の外観を示す斜視図である。
【図２】図１に示す紙幣処理装置の内部の概略的な構成を示す概略構成図である。
【図３】図１および図２に示す紙幣処理装置の制御ブロック図である。
【図４】図１等に示す紙幣処理装置の操作表示部の構成を示す図である。
【図５Ａ】金種混合モード（ＭＩＸモード）における、図１等に示す紙幣処理装置の動作を示すフローチャートである。
【図５Ｂ】金種混合モード（ＭＩＸモード）における、図１等に示す紙幣処理装置の動作を示すフローチャートである。
【図６】金種混合モード（ＭＩＸモード）における、図４に示す操作表示部の表示部における表示内容を示す図である。
【図７Ａ】単一金種モード（ＤＤモード）における、図１等に示す紙幣処理装置の動作を示すフローチャートである。
【図７Ｂ】単一金種モード（ＤＤモード）における、図１等に示す紙幣処理装置の動作を示すフローチャートである。
【図８】単一金種モード（ＤＤモード）における、図４に示す操作表示部の表示部における表示内容を示す図である。
【図９】金種混合モード（ＭＩＸモード）および単一金種モード（ＤＤモード）の各モードについて、通常モードおよび特定モードの各々における識別計数部の識別要素を示す表である。
【図１０Ａ】正損／金種混合モード（ＦＩＴ（ＭＩＸ）モード）における、図１等に示す紙幣処理装置の動作を示すフローチャートである。
【図１０Ｂ】正損／金種混合モード（ＦＩＴ（ＭＩＸ）モード）における、図１等に示す紙幣処理装置の動作を示すフローチャートである。
【図１０Ｃ】正損／金種混合モード（ＦＩＴ（ＭＩＸ）モード）における、図１等に示す紙幣処理装置の動作を示すフローチャートである。
【図１１】正損／金種混合モード（ＦＩＴ（ＭＩＸ）モード）における、図４に示す操作表示部の表示部における表示内容を示す図である。
【図１２Ａ】正損／単一金種モード（ＦＩＴ（ＤＤ）モード）における、図１等に示す紙幣処理装置の動作を示すフローチャートである。
【図１２Ｂ】正損／単一金種モード（ＦＩＴ（ＤＤ）モード）における、図１等に示す紙幣処理装置の動作を示すフローチャートである。
【図１２Ｃ】正損／単一金種モード（ＦＩＴ（ＤＤ）モード）における、図１等に示す紙幣処理装置の動作を示すフローチャートである。
【図１３】正損／単一金種モード（ＦＩＴ（ＤＤ）モード）における、図４に示す操作表示部の表示部における表示内容を示す図である。
【図１４】正損／金種混合モード（ＦＩＴ（ＭＩＸ）モード）および正損／単一金種モード（ＦＩＴ（ＤＤ）モード）の各モードについて、通常モードおよび特定モードの各々における識別計数部の識別要素を示す表である。
【発明を実施するための形態】
【００１９】
以下、図面を参照して本発明の一の実施の形態について説明する。図１乃至図１４は、本実施の形態に係る紙幣処理装置を示す図である。このうち、図１は、本実施の形態による紙幣処理装置の外観を示す斜視図であり、図２は、図１に示す紙幣処理装置の内部の概略的な構成を示す概略構成図である。また、図３は、図１および図２に示す紙幣処理装置の制御ブロック図である。
【００２０】
図１および図２に示すように、紙幣処理装置１０は、筐体１２と、計数が行われるべき複数の紙幣が積層状態で載置される載置部（ホッパ）１４と、載置部１４に載置された複数の紙幣のうち最下層にある紙幣を筐体１２の内部に１枚ずつ繰り出すための繰出部１６と、筐体１２の内部に設けられ、繰出部１６により筐体１２の内部に繰り出された紙幣を１枚ずつ搬送する搬送部１８と、を備えている。また、搬送部１８には、繰出部１６により筐体１２の内部に繰り出された紙幣の識別および計数を行うための識別計数部２０が設けられている。
【００２１】
繰出部１６は、載置部１４に積層状態で載置された複数の紙幣のうち最下層にある一の紙幣の表面に当接するキッカローラ１６ａと、紙幣の繰出方向においてキッカローラ１６ａの下流側に配置され当該キッカローラ１６ａにより蹴り出された紙幣について筐体１２の内部への繰り出しを行うフィードローラ１６ｂとを有している。また、フィードローラ１６ｂに対向して逆転ローラ１６ｃ（ゲートローラ）が設けられており、フィードローラ１６ｂと逆転ローラ１６ｃとの間にゲート部Ｇが形成されている。キッカローラ１６ａにより蹴り出された紙幣はゲート部Ｇを通過して１枚ずつ筐体１２内の搬送部１８に繰り出されるようになっている。また、筐体１２の内部には、繰出部１６の駆動を行う繰出部駆動機構１７（図３参照）が設けられている。
【００２２】
また、図２に示すように、載置部１４には紙幣有無センサ１５が設けられている。この紙幣有無センサ１５は載置部１４における紙幣の有無を検出するようになっている。具体的には、紙幣有無センサ１５は発光部と受光部が一体構成された反射型の光センサであり、載置部１４に紙幣が存在する場合には、発光部から発せられた光が紙幣に反射して受光部に光が届き、紙幣が存在しない場合には反射することなく光が受光部に届かないようになり、このことにより紙幣有無センサ１５は載置部１４に紙幣が存在するか否かを検出する。
【００２３】
なお、本実施の形態の紙幣処理装置１０では、載置部１４、紙幣有無センサ１５および繰出部１６により、複数枚の紙幣を受け入れて１枚ずつ紙幣を機体内部に取り込む受入部が構成されている。
【００２４】
搬送部１８は、複数の搬送ローラに張架された搬送ベルトおよびローラが複数組み合わせられたものから構成されており、これらの搬送ベルトとローラの間に紙幣が挟まれた状態で搬送ベルトが循環移動を行うことにより紙幣が搬送路に沿って搬送されるようになっている。また、筐体１２の内部には、搬送部１８の駆動を行う搬送部駆動機構１９（図３参照）が設けられている。
【００２５】
また、前述のように、搬送部１８には、繰出部１６により筐体１２の内部に繰り出された紙幣の識別および計数を行うための識別計数部２０が設けられている。図２に示すように、識別計数部２０は、ラインセンサ２０ａ、厚み検出センサ２０ｂおよび磁気センサ２０ｃを有している。ラインセンサ２０ａは、紙幣の搬送路を挟むよう設けられた発光部および受光部を有しており、発光部から発せられた光（例えば、赤外光）が受光部により受けられるようになっている。ここで、ラインセンサ２０ａに紙幣が送られた場合には、発光部から発せられた光が紙幣を透過して受光部まで到達するようになっており、受光部で受けられた光のデータに基づいて検出値が算出されるようになっている。また、厚み検出センサ２０ｂは、この厚み検出センサ２０ｂを通過する紙幣の厚みを検出するようになっており、検出された紙幣の厚みに基づいて、紙幣に札折れ部分があるか、２枚以上の紙幣の重送が行われたか、あるいは紙幣のある部分にテープ等が貼られているか等を検出することができるようになっている。また、磁気センサ２０ｃは、この磁気センサ２０ｃを通過する紙幣のインク等に含まれる磁気成分から発せられる磁気を検出するようになっており、このことにより磁気センサ２０ｃにおいて紙幣の磁性に関する検出値が算出されるようになっている。識別計数部２０は、ラインセンサ２０ａ、厚み検出センサ２０ｂおよび磁気センサ２０ｃによるそれぞれの検出結果に基づいて、紙幣の真偽、正損、金種等の識別や、紙幣の搬送異常が発生しているか否か等の識別を行うとともに、紙幣の計数を行うようになっている。
【００２６】
図２に示すように、識別計数部２０よりも下流側の箇所において搬送部１８は２つの搬送路に分岐しており、一方の搬送路の下流側端部には集積部３０が接続されており、他方の搬送路の下流側端部にはリジェクト部４０が接続されている。識別計数部２０により識別および計数が行われた紙幣は、集積部３０またはリジェクト部４０に選択的に送られるようになっている。集積部３０の前面（図２における左側の面）には開口が設けられており、操作者はこの開口を介して集積部３０に集積された紙幣を取り出すことができるようになっている。また、リジェクト部４０の前面にも開口が設けられており、操作者はこの開口を介してリジェクト部４０に集積された紙幣を取り出すことができるようになっている。
【００２７】
図２に示すように、搬送部１８における２つの搬送路に分岐する箇所には、分岐部材とその駆動部（図示せず）とからなる分岐部２２が設けられており、この分岐部２２により、当該分岐部２２の上流側から送られた紙幣が、分岐した２つの搬送路のうちいずれか一方の搬送路に選択的に送られるようになっている。
【００２８】
集積部３０において、筐体１２の背面側の位置（図２の集積部３０における右側の位置）には羽根車式集積機構３２が設けられている。この羽根車式集積機構３２は、羽根車３２ａとその駆動部（図示せず）とからなり、羽根車３２ａは、図２の紙面に対して直交する、略水平方向に延びる軸を中心として図２における反時計回りの方向（図２における矢印方向）に回転するようになっている。羽根車３２ａには、外周面から回転方向とは逆方向（図２における時計回りの方向）の外方に延びる複数の羽根３２ｂが設けられている。これらの羽根３２ｂは、図２に示すように羽根車３２ａの外周面において等間隔に設けられている。
【００２９】
羽根車式集積機構３２の羽根車３２ａは、紙幣処理装置１０の動作中、駆動部により常に図２における反時計回りの方向に回転させられるようになっており、この羽根車３２ａには、搬送部１８から紙幣が１枚ずつ送られるようになっている。そして、羽根車３２ａは、搬送部１８から送られた紙幣を２枚の羽根３２ｂの間に受け止めてこの羽根３２ｂ間に受け止められた紙幣を集積部３０に送るようになっている。このようにして、集積部３０には羽根車３２ａから紙幣が１枚ずつ送られ、この集積部３０において複数の紙幣が整列された状態で集積される。
【００３０】
図１および図２に示すように、紙幣処理装置１０には、集積部３０の前面に設けられた開口を閉止するためのシャッター３４が設けられており、このシャッター３４により集積部３０の前面の開口が選択的に閉止されるようになっている。また、筐体１２の内部には、シャッター３４の駆動を行うシャッター駆動機構３５（図３参照）が設けられている。シャッター３４は、シャッター駆動機構３５により、集積部３０の下方に退避して当該集積部３０の開口を開く開口位置（図２における点線参照）と、集積部３０の前面の開口を閉止する閉止位置（図２における実線参照）との間で移動させられるようになっている。すなわち、シャッター３４が図２の点線に示すような開口位置にあるときには、操作者は集積部３０に集積された紙幣にアクセスすることができるようになる。一方、シャッター３４が図２の実線に示すような閉止位置にあるときには、集積部３０の前面の開口はシャッター３４により閉止され、操作者は集積部３０に集積された紙幣にアクセスすることができなくなる。
【００３１】
また、集積部３０には紙幣有無センサ３６が設けられている。この紙幣有無センサ３６は、集積部３０における紙幣の有無を検出するようになっている。具体的には、紙幣有無センサ３６は発光部と受光部とを有しており、集積部３０に紙幣が集積されていない場合には発光部から発せられた光が受光部により受けられるようになっている。一方、集積部３０に紙幣が存在する場合には、発光部から発せられた光がこの紙幣により遮られて受光部に光が届かないようになり、このことにより紙幣有無センサ３６は集積部３０に紙幣が集積されていることを検出する。
【００３２】
一方、リジェクト部４０には、このリジェクト部４０の前面の開口を閉止するシャッターは設けられていない。図１および図２に示すように、リジェクト部４０には左右一対の紙幣整列部材４２が設けられており、各紙幣整列部材４２は図２に示す位置から操作者が手動で筐体１２の前方に（すなわち、図２における左方に）倒すことができるようになっている。このため、搬送部１８からリジェクト部４０に送られた紙幣は各紙幣整列部材４２により整列された状態でリジェクト部４０に集積されるようになる。また、各紙幣整列部材４２を筐体１２の前面に倒すことにより、操作者はリジェクト部４０から紙幣を取り出すことができるようになる。
【００３３】
また、リジェクト部４０には紙幣有無センサ４４が設けられている。この紙幣有無センサ４４は、リジェクト部４０における紙幣の有無を検出するようになっている。具体的には、紙幣有無センサ４４は発光部と受光部とを有しており、リジェクト部４０に紙幣が集積されていない場合には発光部から発せられた光が受光部により受けられるようになっている。一方、リジェクト部４０に紙幣が存在する場合には、発光部から発せられた光がこの紙幣により遮られて受光部に光が届かないようになり、このことにより紙幣有無センサ４４はリジェクト部４０に紙幣が集積されていることを検出する。
【００３４】
また、図１に示すように、筐体１２の前面には操作表示部６２が設けられている。この操作表示部６２は、例えばＬＣＤ等からなる表示部６２ａと、複数の操作キー６２ｂとを有している。表示部６２ａには、紙幣処理装置１０による紙幣の処理状況、より具体的には例えば識別計数部２０により計数された紙幣の金種毎の枚数や合計金額等の情報が表示されるようになっている。また、操作者が操作キー６２ｂを押下することにより後述する制御部６０に対して様々な指令を与えることができるようになっている。
【００３５】
図２に示すように、筐体１２の内部には、紙幣処理装置１０の各構成要素を制御するための制御部６０が設けられている。このような制御部６０の構成の詳細について図３を用いて説明する。図３に示すように、制御部６０には、繰出部１６の駆動を行う繰出部駆動機構１７、搬送部１８の駆動を行う搬送部駆動機構１９、識別計数部２０、分岐部２２、羽根車式集積機構３２、シャッター３４の駆動を行うシャッター駆動機構３５、紙幣有無センサ１５、３６、４４、操作表示部６２等がそれぞれ接続されている。そして、識別計数部２０による紙幣の識別結果や計数結果が制御部６０に送られるとともに、制御部６０は繰出部駆動機構１７、搬送部駆動機構１９、分岐部２２、羽根車式集積機構３２、シャッター駆動機構３５、操作表示部６２等に指令信号を送りこれらの構成要素の制御を行うようになっている。また、制御部６０には、紙幣有無センサ１５、３６、４４による検出結果がこれらのセンサから送られるようになっている。
【００３６】
また、図３に示すように、制御部６０には記憶部６４が接続されている。この記憶部６４には、例えば、紙幣処理装置１０による紙幣の処理状況、より具体的には例えば識別計数部２０により計数された紙幣の金種毎の枚数や合計金額等の情報が記憶されるようになっている。
【００３７】
また、図３に示すように、制御部６０にはモード切換手段６６が接続されている。このモード切換手段６６は、後述する通常モードによって載置部１４に載置された紙幣が繰出部１６により筐体１２の内部に取り込まれ、集積部３０またはリジェクト部４０に送られた後に、リジェクト部４０に集積された紙幣を再度識別する際に、通常モードから後述する特定モードに切り換える機能を有している。ここで、本実施の形態の紙幣処理装置１０では、通常モードとは最初に紙幣の計数処理で行われるモードのことをいい、特定モードとは通常モードが行われた後に紙幣の計数処理で行われるモードのことをいう。これらの通常モードおよび特定モードのより具体的な内容については後述する。
【００３８】
制御部６０は、モード切換手段６６により特定モードが設定されると、識別計数部２０での識別要素の少なくとも一つを省略して紙幣の識別を行い、その識別結果に基づいて集積部３０またはリジェクト部４０のいずれか一方に紙幣を送るように搬送部１８における分岐部２２の制御を行うようになっている。このような制御内容の具体的な例については後述する。また、制御部６０は、通常モードでの計数結果と特定モードでの計数結果とを区別して操作表示部６２における表示部６２ａに表示させるようになっている。
【００３９】
次に、このような構成からなる紙幣処理装置１０の基本的な動作について説明する。なお、以下に示す紙幣処理装置１０の動作は、制御部６０が紙幣処理装置１０の各構成要素を制御することにより行われる。
【００４０】
最初に、操作者は、計数が行われるべき紙幣を載置部１４に積層状態で載置する。その後、操作者が操作表示部６２の操作キー６２ｂ（具体的には、「ＳＴＡＲＴ／ＳＴＯＰ」キー）を押下することにより、紙幣の計数の開始の指令を制御部６０に与えると、載置部１４に積層状態で載置された紙幣は、最下層にある紙幣から順に１枚ずつ繰出部１６により筐体１２内の搬送部１８に繰り出される。繰出部１６により筐体１２内の搬送部１８に繰り出された紙幣は、当該搬送部１８により搬送される。
【００４１】
そして、搬送部１８により搬送される紙幣は識別計数部２０により識別および計数が行われ、識別計数部２０による紙幣の識別結果が制御部６０に送られる。制御部６０に送られた紙幣の識別結果において、この紙幣が所定の紙幣である場合には、当該紙幣は搬送部１８により更に搬送されて分岐部２２により集積部３０に送られる。この際に、搬送部１８から羽根車式集積機構３２の羽根車３２ａに紙幣が１枚ずつ送られ、この羽根車３２ａは、搬送部１８から送られた紙幣を２枚の羽根３２ｂの間に受け止めてこの羽根３２ｂ間に受け止められた紙幣を集積部３０に送る。このようにして、羽根車式集積機構３２により集積部３０に紙幣を整列された状態で集積させることができる。一方、制御部６０に送られた紙幣の識別結果において、この紙幣が集積部３０に集積すべきでない紙幣である場合には、当該紙幣は搬送部１８により更に搬送されて分岐部２２によりリジェクト部４０に送られる。リジェクト部４０に紙幣が存在することが紙幣有無センサ４４により検出されると、操作表示部６２に設けられたリジェクトランプ６２ｃ（図４参照）が点灯するようになっている。
【００４２】
なお、上述のような紙幣処理装置１０による紙幣の計数処理が行われている間は、図２の実線に示すように集積部３０の前面の開口はシャッター３４により閉じられている。そして、載置部１４に載置された紙幣が全て集積部３０またはリジェクト部４０に送られ、紙幣処理装置１０による紙幣の計数処理が終了すると、図２の点線に示すようにシャッター３４は退避位置に移動して集積部３０の前面の開口が開かれる。このようにして、操作者は集積部３０から紙幣を取り出すことができるようになる。また、リジェクト部４０の前面の開口は常に開かれた状態にあるので、操作者は各紙幣整列部材４２を筐体１２の前面に倒すことによりリジェクト部４０から紙幣を取り出すことができるようになる。
【００４３】
次に、本実施の形態の紙幣処理装置１０における紙幣の各処理モード毎の具体的な動作について説明する。
【００４４】
まず、異なる金種の紙幣が混合して集積部３０に集積されるような金種混合モード（以下、ＭＩＸモードともいう）について図５Ａおよび図５Ｂに示すフローチャートを用いて説明する。
【００４５】
図４に示すような操作表示部６２の表示部６２ａの表示画面（初期画面）および各々の操作キー６２ｂにおいて、操作者が「ＭＩＸ」キー６２ｂ１を１回押下すると、制御部６０においてＭＩＸモードが設定される。次に、操作者は、計数が行われるべき紙幣を載置部１４に積層状態で載置した後、操作表示部６２の操作キー６２ｂを押下することにより、紙幣の計数の開始の指令を制御部６０に与えると、載置部１４に積層状態で載置された紙幣は、最下層にある紙幣から順に１枚ずつ繰出部１６により筐体１２内の搬送部１８に繰り出される（図５ＡのＳＴＥＰ１）。なお、本実施の形態の紙幣処理装置１０において、以下に示すような１回目の紙幣の計数処理は、通常モードにて行われるようになっている。繰出部１６により筐体１２内の搬送部１８に繰り出された紙幣は、当該搬送部１８により搬送され、識別計数部２０により、紙幣の金種および真偽が識別されるとともに紙幣の計数が行われ（図５ＡのＳＴＥＰ２）、紙幣の識別結果および計数結果が制御部６０に送られる。
【００４６】
ここで、識別計数部２０により識別された紙幣が搬送異常券である場合には（図５ＡのＳＴＥＰ３の「ＹＥＳ」）、この紙幣はリジェクト券として搬送部１８により更に搬送されて分岐部２２によりリジェクト部４０に送られる（図５ＡのＳＴＥＰ７）。また、識別計数部２０における紙幣の金種判定においてどの金種の紙幣でもないと判定された場合には（図５ＡのＳＴＥＰ４の「ＹＥＳ」）、この紙幣はリジェクト券として搬送部１８により更に搬送されて分岐部２２によりリジェクト部４０に送られる（図５ＡのＳＴＥＰ７）。また、識別計数部２０における紙幣の真偽判定において真券であると判断された場合には（図５ＡのＳＴＥＰ５の「ＹＥＳ」）、当該紙幣は搬送部１８により更に搬送されて分岐部２２により集積部３０に送られる（図５ＡのＳＴＥＰ６）。この際に、異なる金種の紙幣が混合して集積部３０に集積されるようになる。一方、識別計数部２０における紙幣の真偽判定において真券ではないと判断された場合には（図５ＡのＳＴＥＰ５の「ＮＯ」）、この紙幣はリジェクト券として搬送部１８により更に搬送されて分岐部２２によりリジェクト部４０に送られる（図５ＡのＳＴＥＰ７）。
【００４７】
載置部１４に載置された紙幣が全て集積部３０またはリジェクト部４０に送られ、紙幣処理装置１０による１回目の紙幣の計数処理（通常モード）が終了すると（図５ＡのＳＴＥＰ８の「ＹＥＳ」）、操作表示部６２の表示部６２ａにおける表示内容は例えば図６（ａ）に示すようなものとなる。図６（ａ）に示すように、表示部６２ａには、紙幣の計数結果が金種毎に表示される。具体的には、図６（ａ）に示すような表示部６２ａの表示において、例えば「５０×  ３＋０」という表示は、５０ユーロ札が通常モード（１回目の計数処理）で３枚計数されたということを意味する。なお、右端の「０」は、後述する特定モード（２回目の計数処理）で計数される紙幣の枚数を意味する。また、図６（ａ）に示すような表示部６２ａの表示において、操作者が「ＰＣＳ／ＡＭＴ」キー（図４参照）を押下すると、表示部６２ａにおける表示内容が、紙幣の金種毎の枚数と、紙幣の金種毎の合計金額との間で切り換わるようになる。また、リジェクト部４０に紙幣が存在する場合には、操作表示部６２に設けられたリジェクトランプ６２ｃ（図４参照）が点灯する。
【００４８】
載置部１４に載置された紙幣が全て集積部３０に集積され、リジェクト部４０には紙幣が存在しない場合には（図５ＡのＳＴＥＰ９の「ＮＯ」）、操作表示部６２の操作キー６２ｂにおける確定（ＡＣＣＥＰＴ）キーが押下されると、または集積部３０から紙幣が取り出されると（図５ＡのＳＴＥＰ１９の「ＹＥＳ」）、制御部６０において、識別計数部２０により計数され集積部３０に送られた紙幣の枚数が確定され（図５ＡのＳＴＥＰ２０）、紙幣の計数処理が終了する。
【００４９】
一方、１回目の紙幣の計数処理が終了した後、リジェクト部４０に紙幣が存在する場合には（図５ＡのＳＴＥＰ９の「ＹＥＳ」）、リジェクト部４０に集積された紙幣をこのリジェクト部４０から取り出し、載置部１４に載置することによって（図５ＢのＳＴＥＰ１０）、リジェクト部４０に集積された紙幣を再度識別する。この際に、モード切換手段６６は、紙幣の処理モードを、図５ＡのＳＴＥＰ１〜ＳＴＥＰ８に示すような通常モードから特定モードに切り換える（図５ＢのＳＴＥＰ１１）。モード切換手段６６により特定モードが設定されると、リジェクト部４０に集積された紙幣について２回目の計数処理を行う際に、識別計数部２０での識別要素の少なくとも一つが省略されて紙幣の識別が行われる。すなわち、通常モードが行われる１回目の紙幣の計数処理では、識別計数部２０で紙幣の金種および真偽が識別されるようになっているが、特定モードが行われる２回目の紙幣の計数処理では、識別計数部２０で紙幣の金種のみが識別されるようになり、紙幣の真偽は識別されなくなる。なお、本実施の形態による紙幣処理装置１０では、通常モードおよび特定モードのうちどちらのモードが行われる場合でも、識別計数部２０において紙幣の計数は必ず行われるようになっている。
【００５０】
リジェクト部４０に集積された紙幣をこのリジェクト部４０から取り出し、載置部１４に載置する際に、操作者は各々の紙幣について目視にて真偽を確認する。ここで、操作者により真券ではないと判断された紙幣は、載置部１４に載置されず操作者により回収される。
【００５１】
また、操作者が、表示部６２ａに表示された「ＭＡＮＵＡＬ」という文字（図６（ａ）参照）に対応するＦ１キー（図４参照）を押下すると、モード切換手段６６により、紙幣の処理モードが通常モードから特定モードに切り換えられるようになっている（図５ＢのＳＴＥＰ１１）。
【００５２】
その後、操作者が操作表示部６２の操作キー６２ｂを押下することにより、紙幣の計数の開始の指令を制御部６０に与えると、載置部１４に積層状態で載置された紙幣は、最下層にある紙幣から順に１枚ずつ繰出部１６により筐体１２内の搬送部１８に繰り出される（図５ＢのＳＴＥＰ１２）。繰出部１６により筐体１２内の搬送部１８に繰り出された紙幣は、当該搬送部１８により搬送され、識別計数部２０により、紙幣の金種が識別されるとともに紙幣の計数が行われる（図５ＢのＳＴＥＰ１３）。この際に、紙幣の真偽の識別は行われない。なぜならば、モード切換手段６６により、紙幣の処理モードが通常モードから特定モードに切り換えられ、識別計数部２０において識別対象となる識別要素から真偽が省略されたからである。
【００５３】
より詳細に説明すると、識別計数部２０により識別された紙幣が搬送異常券である場合には（図５ＢのＳＴＥＰ１４の「ＹＥＳ」）、この紙幣はリジェクト券として搬送部１８により更に搬送されて分岐部２２によりリジェクト部４０に送られる（図５ＢのＳＴＥＰ１７）。また、識別計数部２０における紙幣の金種判定においてどの金種の紙幣でもないと判定された場合には（図５ＢのＳＴＥＰ１５の「ＹＥＳ」）、この紙幣はリジェクト券として搬送部１８により更に搬送されて分岐部２２によりリジェクト部４０に送られる（図５ＢのＳＴＥＰ１７）。また、搬送異常券ではなく、金種の判定を行うことができるような紙幣は（図５ＢのＳＴＥＰ１４の「ＮＯ」および図５ＢのＳＴＥＰ１５の「ＮＯ」）、搬送部１８により更に搬送されて分岐部２２により集積部３０に送られる（図５ＢのＳＴＥＰ１６）。この際に、異なる金種の紙幣が混合して集積部３０に集積されるようになる。
【００５４】
上述のような特定モードが設定されている場合には、制御部６０は、搬送部１８において特定モード時における紙幣の搬送速度が通常モード時における紙幣の搬送速度よりも小さくなるよう搬送部駆動機構１９の制御を行うようにしてもよい。このことにより、特定モード時において紙幣が識別計数部２０を通過する際の紙幣の速度も小さくなり、識別計数部２０はより精度良く紙幣の識別を行うことができるようになる。
【００５５】
また、特定モードにおいて識別計数部２０により紙幣の搬送異常に係る識別が行われる際に、重送および長さ異常以外の紙幣の搬送異常が検出された場合でも、制御部６０においてこの紙幣は搬送異常ではない紙幣として扱われるようになっていてもよい。このことにより、例えば識別計数部２０により識別および計数が行われる紙幣について、斜行等の軽微な搬送異常が生じている場合でも、この紙幣は搬送異常ではない紙幣として扱われるようになる。ここで、処理モードが通常モードから特定モードに切り換えられると、識別計数部２０において識別対象となる識別要素から真偽が省略されるので、斜行等の軽微な搬送異常が生じているような紙幣でも、識別計数部２０において特定モードにおける紙幣の所定の識別（搬送異常券か否か等）および紙幣の計数を行うことができるようになる。このため、このような紙幣でも、当該紙幣の識別結果や計数結果を制御部６０において有効なものとすることができる。
【００５６】
載置部１４に載置された紙幣が全て集積部３０またはリジェクト部４０に送られ、紙幣処理装置１０による２回目の紙幣の計数処理が終了すると（図５ＢのＳＴＥＰ１８の「ＹＥＳ」）、操作表示部６２の表示部６２ａにおける表示内容は例えば図６（ｂ）に示すようなものとなる。図６（ｂ）に示すように、表示部６２ａには、各金種の紙幣について、通常モード（１回目の計数処理）での計数結果と特定モード（２回目の計数処理）での計数結果とが区別して表示されるようになる。具体的には、図６（ｂ）に示すような表示部６２ａの表示において、例えば「５０×  ３＋１」という表示は、５０ユーロ札が通常モード（１回目の計数処理）で３枚計数され、特定モード（２回目の計数処理）で１枚計数されたということを意味する。また、リジェクト部４０に紙幣が存在する場合には、操作表示部６２に設けられたリジェクトランプ６２ｃ（図４参照）が点灯する。
【００５７】
その後、操作表示部６２の操作キー６２ｂにおける確定（ＡＣＣＥＰＴ）キーが押下されると、または集積部３０から紙幣が取り出されると（図５ＡのＳＴＥＰ１９の「ＹＥＳ」）、制御部６０において、１回目の計数処理および２回目の計数処理でそれぞれ識別計数部２０により計数され集積部３０に送られた紙幣の枚数が確定され（図５ＡのＳＴＥＰ２０）、紙幣の計数処理が終了する。
【００５８】
次に、単一の金種の紙幣が集積部３０に集積されるような単一金種モード（以下、ＤＤモードともいう）について図７Ａおよび図７Ｂに示すフローチャートを用いて説明する。このような単一金種モードでは、概して同一の金種の複数の紙幣が紙幣処理装置１０により計数されるようになっている。
【００５９】
図４に示すような操作表示部６２の表示部６２ａの表示画面（初期画面）および各々の操作キー６２ｂにおいて、操作者が「ＤＤ」キー６２ｂ２を１回押下すると、制御部６０においてＤＤモードが設定される。次に、操作者は、計数が行われるべき紙幣を載置部１４に積層状態で載置した後、操作表示部６２の操作キー６２ｂを押下することにより、紙幣の計数の開始の指令を制御部６０に与えると、載置部１４に積層状態で載置された紙幣は、最下層にある紙幣から順に１枚ずつ繰出部１６により筐体１２内の搬送部１８に繰り出される（図７ＡのＳＴＥＰ１）。繰出部１６により筐体１２内の搬送部１８に繰り出された紙幣は、当該搬送部１８により搬送され、識別計数部２０により、紙幣の金種および真偽が識別されるとともに紙幣の計数が行われ（図７ＡのＳＴＥＰ２）、紙幣の識別結果および計数結果が制御部６０に送られる。
【００６０】
識別計数部２０により識別された紙幣が、載置部１４に載置された複数の紙幣のうち最初に筐体１２内に繰り出されて識別計数部２０により最初に識別された紙幣である場合には（図７ＡのＳＴＥＰ３の「ＹＥＳ」）、この１枚目の紙幣の金種を所定の金種に設定する（図７ＡのＳＴＥＰ４）。すなわち、例えば最初に識別計数部２０により識別が行われた紙幣の金種が１０ユーロ紙幣である場合には、１０ユーロ紙幣が所定の金種として設定される。
【００６１】
識別計数部２０により識別された紙幣が搬送異常券である場合には（図７ＡのＳＴＥＰ５の「ＹＥＳ」）、この紙幣はリジェクト券として搬送部１８により更に搬送されて分岐部２２によりリジェクト部４０に送られる（図７ＡのＳＴＥＰ９）。また、識別計数部２０における紙幣の金種判定において所定の金種ではないと判断された紙幣は（図７ＡのＳＴＥＰ６の「ＮＯ」）、この紙幣は搬送部１８により更に搬送されて分岐部２２によりリジェクト部４０に送られる（図７ＡのＳＴＥＰ９）。また、識別計数部２０における紙幣の金種判定において所定の金種であると判断されるとともに紙幣の真偽判定において真券であると判断された場合には（図７ＡのＳＴＥＰ６の「ＹＥＳ」およびＳＴＥＰ７の「ＹＥＳ」）、当該紙幣は搬送部１８により更に搬送されて分岐部２２により集積部３０に送られる（図７ＡのＳＴＥＰ８）。また、識別計数部２０における紙幣の真偽判定において真券ではないと判断された場合には（図７ＡのＳＴＥＰ７の「ＮＯ」）、この紙幣はリジェクト券として搬送部１８により更に搬送されて分岐部２２によりリジェクト部４０に送られる（図７ＡのＳＴＥＰ９）。すなわち、１０ユーロ紙幣が所定の金種として設定されている場合には、搬送異常券ではない、真券である１０ユーロ紙幣のみが集積部３０に送られるようになる。
【００６２】
載置部１４に載置された紙幣が全て集積部３０またはリジェクト部４０に送られ、紙幣処理装置１０による１回目の紙幣の計数処理（通常モード）が終了すると（図７ＡのＳＴＥＰ１０の「ＹＥＳ」）、操作表示部６２の表示部６２ａにおける表示内容は例えば図８（ａ）に示すようなものとなる。図８（ａ）に示すように、表示部６２ａには、所定の金種（例えば１０ユーロ紙幣）の紙幣の計数結果が表示される。具体的には、図８（ａ）に示すような表示部６２ａの表示において、例えば「１０×  ５＋０」という表示は、１０ユーロ札が通常モード（１回目の計数処理）で５枚計数されたということを意味する。なお、右端の「０」は、後述する特定モード（２回目の計数処理）で計数される紙幣の枚数を意味する。また、リジェクト部４０に紙幣が存在する場合には、操作表示部６２に設けられたリジェクトランプ６２ｃ（図４参照）が点灯する。
【００６３】
載置部１４に載置された紙幣が全て集積部３０に集積され、リジェクト部４０には紙幣が存在しない場合には（図７ＡのＳＴＥＰ１１の「ＮＯ」）、操作表示部６２の操作キー６２ｂにおける確定（ＡＣＣＥＰＴ）キーが押下されると、または集積部３０から紙幣が取り出されると（図７ＡのＳＴＥＰ２０の「ＹＥＳ」）、制御部６０において、識別計数部２０により計数され集積部３０に送られた紙幣の枚数が確定され（図７ＡのＳＴＥＰ２１）、紙幣の計数処理が終了する。
【００６４】
一方、１回目の紙幣の計数処理が終了した後、リジェクト部４０に紙幣が存在する場合には（図７ＡのＳＴＥＰ１１の「ＹＥＳ」）、リジェクト部４０に集積された紙幣をこのリジェクト部４０から取り出し、載置部１４に載置することによって（図７ＢのＳＴＥＰ１２）、リジェクト部４０に集積された紙幣を再度識別する。この際に、操作者が、表示部６２ａに表示された「ＭＡＮＵＡＬ」という文字（図８（ａ）参照）に対応するＦ１キー（図４参照）を押下することによって、モード切換手段６６により、紙幣の処理モードが通常モードから特定モードに切り換えられる（図７ＢのＳＴＥＰ１２）。モード切換手段６６により特定モードが設定されると、リジェクト部４０に集積された紙幣について２回目の計数処理を行う際に、識別計数部２０での識別要素の少なくとも一つが省略されて紙幣の識別が行われる。すなわち、通常モードが行われる１回目の紙幣の計数処理では、識別計数部２０で紙幣の金種および真偽が識別されるようになっているが、特定モードが行われる２回目の紙幣の計数処理では、識別計数部２０で紙幣の金種の識別が行われなくなり、または紙幣の真偽の識別が行われなくなり、あるいは紙幣の金種および真偽の両方の識別が行われなくなる。
【００６５】
以下、特定モードにおいて、識別計数部２０で紙幣の金種および真偽の両方の識別が行われなくなる場合について説明する。この場合、特定モードにおいて識別計数部２０は紙幣が搬送異常であるか否かの識別および紙幣の計数のみを行うようになる。また、この場合には、リジェクト部４０に集積された紙幣をこのリジェクト部４０から取り出し、載置部１４に載置する際に、操作者は各々の紙幣について目視にて真偽および金種を確認する。ここで、操作者により真券ではないと判断された紙幣や、所定の金種（すなわち、１回目の紙幣の計数処理において最初に識別計数部２０により識別および計数が行われた紙幣の金種）の紙幣ではないと判断された紙幣は、載置部１４に載置されず操作者により回収される。
【００６６】
その後、操作者が操作表示部６２の操作キー６２ｂを押下することにより、紙幣の計数の開始の指令を制御部６０に与えると、載置部１４に積層状態で載置された紙幣は、最下層にある紙幣から順に１枚ずつ繰出部１６により筐体１２内の搬送部１８に繰り出される（図７ＢのＳＴＥＰ１４）。繰出部１６により筐体１２内の搬送部１８に繰り出された紙幣は、当該搬送部１８により搬送され、識別計数部２０により紙幣の識別および計数が行われる（図７ＢのＳＴＥＰ１５）。この際に、紙幣の真偽や金種の識別は行われない。なぜならば、モード切換手段６６により、紙幣の処理モードが通常モードから特定モードに切り換えられ、識別計数部２０において識別対象となる識別要素から真偽および金種が省略されたからである。
【００６７】
より詳細に説明すると、識別計数部２０により識別された紙幣が搬送異常券である場合には（図７ＢのＳＴＥＰ１６の「ＹＥＳ」）、この紙幣はリジェクト券として搬送部１８により更に搬送されて分岐部２２によりリジェクト部４０に送られる（図７ＢのＳＴＥＰ１８）。また、搬送異常券ではない紙幣は（図７ＢのＳＴＥＰ１６の「ＮＯ」）、搬送部１８により更に搬送されて分岐部２２により集積部３０に送られる（図７ＢのＳＴＥＰ１７）。
【００６８】
載置部１４に載置された紙幣が全て集積部３０またはリジェクト部４０に送られ、紙幣処理装置１０による２回目の紙幣の計数処理が終了すると（図７ＢのＳＴＥＰ１９の「ＹＥＳ」）、操作表示部６２の表示部６２ａにおける表示内容は例えば図８（ｂ）に示すようなものとなる。図８（ｂ）に示すように、表示部６２ａには、所定の金種（例えば１０ユーロ紙幣）の紙幣について、通常モード（１回目の計数処理）での計数結果と特定モード（２回目の計数処理）での計数結果とが区別して表示されるようになる。具体的には、図８（ｂ）に示すような表示部６２ａの表示において、「１０×  ５＋２」という表示は、１０ユーロ札が通常モード（１回目の計数処理）で５枚計数され、特定モード（２回目の計数処理）で２枚計数されたということを意味する。また、リジェクト部４０に紙幣が存在する場合には、操作表示部６２に設けられたリジェクトランプ６２ｃ（図４参照）が点灯する。
【００６９】
その後、操作表示部６２の操作キー６２ｂにおける確定（ＡＣＣＥＰＴ）キーが押下されると、または集積部３０から紙幣が取り出されると（図７ＡのＳＴＥＰ２０の「ＹＥＳ」）、制御部６０において、１回目の計数処理および２回目の計数処理でそれぞれ識別計数部２０により計数され集積部３０に送られた紙幣の枚数が確定され（図７ＡのＳＴＥＰ２１）、紙幣の計数処理が終了する。
【００７０】
なお、単一の金種の紙幣が集積部３０に集積されるようなＤＤモードが行われる場合、特定モードにおいて、識別計数部２０で紙幣の金種および真偽の両方の識別が行われなくなることに限定されることはない。特定モードにおいて、識別計数部２０で紙幣の金種または真偽のいずれか一方のみの識別が行われなくなるようになっていてもよい。例えば、特定モードにおいて、紙幣の真偽の識別が行われなくなる場合には、識別計数部２０で紙幣の金種が識別されるとともに紙幣の計数が行われるようになる。この場合には、リジェクト部４０に集積された紙幣をこのリジェクト部４０から取り出し、載置部１４に載置する際に、操作者は各々の紙幣について目視にて真偽を確認する。ここで、操作者により真券ではないと判断された紙幣は、載置部１４に載置されず操作者により回収される。そして、２回目の紙幣の計数処理において、繰出部１６により筐体１２内の搬送部１８に繰り出された紙幣は、当該搬送部１８により搬送され、識別計数部２０により、紙幣の金種が識別されるとともに紙幣の計数が行われる。ここで、所定の金種（すなわち、１回目の紙幣の計数処理において最初に識別計数部２０により識別および計数が行われた紙幣の金種）の紙幣は集積部３０に送られるが、所定の金種以外の金種の紙幣はリジェクト部４０に送られるようになる。このような特定モードが行われる場合でも、表示部６２ａには、通常モード（１回目の計数処理）での計数結果と特定モード（２回目の計数処理）での計数結果とが区別して表示されるようになる。
【００７１】
また、単一の金種の紙幣が集積部３０に集積されるようなＤＤモードが行われる場合、特定モードにおいて、識別計数部２０で紙幣の金種の識別が行われなくなるようになっていてもよい。特定モードにおいて、紙幣の金種の識別が行われなくなる場合には、識別計数部２０で紙幣の真偽が識別されるとともに紙幣の計数が行われるようになる。この場合には、リジェクト部４０に集積された紙幣をこのリジェクト部４０から取り出し、載置部１４に載置する際に、操作者は各々の紙幣について目視にて金種を確認する。ここで、操作者により所定の金種（すなわち、１回目の紙幣の計数処理において最初に識別計数部２０により識別および計数が行われた紙幣の金種）の紙幣ではないと判断された紙幣は、載置部１４に載置されず操作者により回収される。そして、２回目の紙幣の計数処理において、繰出部１６により筐体１２内の搬送部１８に繰り出された紙幣は、当該搬送部１８により搬送され、識別計数部２０により、紙幣の真偽が識別されるとともに紙幣の計数が行われる。ここで、真券は集積部３０に送られるが、真券以外の偽券等の紙幣はリジェクト券としてリジェクト部４０に送られるようになる。このような特定モードが行われる場合でも、表示部６２ａには、通常モード（１回目の計数処理）での計数結果と特定モード（２回目の計数処理）での計数結果とが区別して表示されるようになる。
【００７２】
図９に、上述したＭＩＸモードおよびＤＤモードにおける、通常モードおよび特定モードの各々における識別計数部２０の識別要素を示す。図９に示すように、ＭＩＸモードでは、通常モードにおいて識別計数部２０により紙幣の金種および真偽が識別されるとともに紙幣の計数が行われるようになっているが、特定モードにおいて識別計数部２０での識別要素のうち真偽が省略され、識別計数部２０により紙幣の金種が識別されるとともに紙幣の計数が行われるようになる。この場合、リジェクト部４０に集積された紙幣をこのリジェクト部４０から取り出し、載置部１４に載置する際に、操作者は各々の紙幣について目視にて真偽を確認するようになる。
【００７３】
また、図９に示すように、ＤＤモードでは、通常モードにおいて識別計数部２０により紙幣の金種および真偽が識別されるとともに紙幣の計数が行われるようになっているが、特定モードにおいて識別計数部２０での識別要素のうち金種および真偽のうち少なくとも一つが省略されるようになる。具体的には、特定モード１では、識別計数部２０での識別要素のうち金種が省略され、識別計数部２０により紙幣の真偽が識別されるとともに紙幣の計数が行われるようになる。この場合、リジェクト部４０に集積された紙幣をこのリジェクト部４０から取り出し、載置部１４に載置する際に、操作者は各々の紙幣について目視にて金種を確認するようになる。また、特定モード２では、識別計数部２０での識別要素のうち真偽が省略され、識別計数部２０により紙幣の金種が識別されるとともに紙幣の計数が行われるようになる。この場合、リジェクト部４０に集積された紙幣をこのリジェクト部４０から取り出し、載置部１４に載置する際に、操作者は各々の紙幣について目視にて真偽を確認するようになる。また、特定モード３では、識別計数部２０での識別要素のうち真偽および金種の両方が省略されるようになる。この場合、リジェクト部４０に集積された紙幣をこのリジェクト部４０から取り出し、載置部１４に載置する際に、操作者は各々の紙幣について目視にて真偽および金種を確認するようになる。このような特定モード１〜３のうち、紙幣処理装置１０の導入時において初期設定により予めいずれか一つのモードが選択されるようになっている。あるいは、特定モード１〜３は、操作者が操作表示部６２により設定や変更を行うことができるようになっていてもよい。
【００７４】
次に、正券および損券の各種別について紙幣の計数が行われ、かつ、異なる金種の紙幣が混合して集積部３０に集積されるような正損／金種混合モード（以下、ＦＩＴ（ＭＩＸ）モードともいう）について図１０Ａ〜図１０Ｃに示すフローチャートを用いて説明する。
【００７５】
図４に示すような操作表示部６２の表示部６２ａの表示画面（初期画面）および各々の操作キー６２ｂにおいて、操作者が「ＦＩＴ」キー６２ｂ３を１回押下するとともに、「ＭＩＸ」キー６２ｂ１を１回押下すると、制御部６０においてＦＩＴ（ＭＩＸ）モードが設定される。次に、操作者は、計数が行われるべき紙幣を載置部１４に積層状態で載置した後、操作表示部６２の操作キー６２ｂを押下することにより、紙幣の計数の開始の指令を制御部６０に与えると、載置部１４に積層状態で載置された紙幣は、最下層にある紙幣から順に１枚ずつ繰出部１６により筐体１２内の搬送部１８に繰り出される（図１０ＡのＳＴＥＰ１）。繰出部１６により筐体１２内の搬送部１８に繰り出された紙幣は、当該搬送部１８により搬送され、識別計数部２０により、紙幣の金種、真偽および正損が識別されるとともに紙幣の計数が行われ（図１０ＡのＳＴＥＰ２）、紙幣の識別結果および計数結果が制御部６０に送られる。
【００７６】
ここで、識別計数部２０により識別された紙幣が搬送異常券である場合には（図１０ＡのＳＴＥＰ３の「ＹＥＳ」）、この紙幣はリジェクト券として搬送部１８により更に搬送されて分岐部２２によりリジェクト部４０に送られる（図１０ＡのＳＴＥＰ８）。また、識別計数部２０における紙幣の金種判定においてどの金種の紙幣でもないと判定された場合には（図１０ＡのＳＴＥＰ４の「ＹＥＳ」）、この紙幣はリジェクト券として搬送部１８により更に搬送されて分岐部２２によりリジェクト部４０に送られる（図１０ＡのＳＴＥＰ８）。また、識別計数部２０における紙幣の真偽判定において真券ではないと判断された場合には（図１０ＡのＳＴＥＰ５の「ＮＯ」）、この紙幣はリジェクト券として搬送部１８により更に搬送されて分岐部２２によりリジェクト部４０に送られる（図１０ＡのＳＴＥＰ８）。また、識別計数部２０における紙幣の正損判定において正券であると判断された場合には（図１０ＡのＳＴＥＰ６の「ＹＥＳ」）、当該紙幣は搬送部１８により更に搬送されて分岐部２２により集積部３０に送られる（図１０ＡのＳＴＥＰ７）。この際に、異なる金種の紙幣が混合して集積部３０に集積されるようになる。一方、識別計数部２０における紙幣の正損判定において正券ではないと判断された場合には（図１０ＡのＳＴＥＰ６の「ＮＯ」）、この紙幣は搬送部１８により更に搬送されて分岐部２２によりリジェクト部４０に送られる（図１０ＡのＳＴＥＰ８）。
【００７７】
載置部１４に載置された紙幣が全て集積部３０またはリジェクト部４０に送られ、紙幣処理装置１０による１回目の紙幣の計数処理（通常モード）が終了すると（図１０ＡのＳＴＥＰ９の「ＹＥＳ」）、操作表示部６２の表示部６２ａにおける表示内容は例えば図１１（ａ）に示すようなものとなる。図１１（ａ）に示すように、表示部６２ａには、紙幣の計数結果が正券（図１１において「ＦＩＴ」で表示）および損券（図１１において「ＵＮＦ」で表示）で区分けされた状態で金種毎に表示される。具体的には、図１１（ａ）に示すような表示部６２ａの表示において、例えば「２０ＦＩＴ×  ３」という表示は、正券の２０ユーロ札が通常モード（１回目の計数処理）で３枚計数されたということを意味する。なお、「２０ＵＮＦ×  ０＋０」等という表示の内容については後述する。また、リジェクト部４０に紙幣が存在する場合には、操作表示部６２に設けられたリジェクトランプ６２ｃ（図４参照）が点灯する。
【００７８】
載置部１４に載置された紙幣が全て集積部３０に集積され、リジェクト部４０には紙幣が存在しない場合には（図１０ＡのＳＴＥＰ１０の「ＮＯ」）、操作表示部６２の操作キー６２ｂにおける確定（ＡＣＣＥＰＴ）キーが押下されると、または集積部３０から紙幣が取り出されると（図１０ＡのＳＴＥＰ３１の「ＹＥＳ」）、制御部６０において、識別計数部２０により計数され集積部３０に送られた紙幣の枚数が確定され（図１０ＡのＳＴＥＰ３２）、紙幣の計数処理が終了する。
【００７９】
一方、１回目の紙幣の計数処理が終了した後、リジェクト部４０に紙幣が存在する場合には（図１０ＡのＳＴＥＰ１０の「ＹＥＳ」）、集積部３０に集積された紙幣（正券）をこの集積部３０から取り出すとともに、リジェクト部４０に集積された紙幣を載置部１４に載置する（図１０ＢのＳＴＥＰ１１）。ここで、ＦＩＴ（ＭＩＸ）モードでは、１回目の紙幣の計数処理が終了した後、集積部３０から紙幣を取り出すことにより、制御部６０において、損券を集積部３０に集積させるとともに正券をリジェクト部４０に集積させるようなセカンド処理に切り換えられる。そして、操作者が操作表示部６２の操作キー６２ｂを押下することにより、紙幣の計数の開始の指令を制御部６０に与えると、載置部１４に積層状態で載置された紙幣は、最下層にある紙幣から順に１枚ずつ繰出部１６により筐体１２内の搬送部１８に繰り出される（図１０ＢのＳＴＥＰ１２）。繰出部１６により筐体１２内の搬送部１８に繰り出された紙幣は、当該搬送部１８により搬送され、識別計数部２０により、紙幣の金種、真偽および正損が識別されるとともに紙幣の計数が行われ（図１０ＢのＳＴＥＰ１３）、紙幣の識別結果および計数結果が制御部６０に送られる。
【００８０】
識別計数部２０により識別された紙幣が搬送異常券である場合には（図１０ＢのＳＴＥＰ１４の「ＹＥＳ」）、この紙幣はリジェクト券として搬送部１８により更に搬送されて分岐部２２によりリジェクト部４０に送られる（図１４ＡのＳＴＥＰ１９）。また、識別計数部２０における紙幣の金種判定においてどの金種の紙幣でもないと判定された場合には（図１０ＢのＳＴＥＰ１５の「ＹＥＳ」）、この紙幣はリジェクト券として搬送部１８により更に搬送されて分岐部２２によりリジェクト部４０に送られる（図１０ＢのＳＴＥＰ１９）。また、識別計数部２０における紙幣の真偽判定において真券ではないと判断された場合には（図１０ＢのＳＴＥＰ１６の「ＮＯ」）、この紙幣はリジェクト券として搬送部１８により更に搬送されて分岐部２２によりリジェクト部４０に送られる（図１０ＢのＳＴＥＰ１９）。また、識別計数部２０における紙幣の正損判定において損券であると判断された場合には（図１０ＢのＳＴＥＰ１７の「ＹＥＳ」）、当該紙幣は搬送部１８により更に搬送されて分岐部２２により集積部３０に送られる（図１０ＢのＳＴＥＰ１８）。この際に、異なる金種の紙幣が混合して集積部３０に集積されるようになる。一方、識別計数部２０における紙幣の正損判定において損券ではないと判断された場合には、すなわち正券であると判断された場合には（図１０ＢのＳＴＥＰ１７の「ＮＯ」）、この紙幣は搬送部１８により更に搬送されて分岐部２２によりリジェクト部４０に送られる（図１０ＢのＳＴＥＰ１９）。
【００８１】
載置部１４に載置された紙幣が全て集積部３０またはリジェクト部４０に送られ、紙幣処理装置１０による２回目の紙幣の計数処理が終了すると（図１０ＢのＳＴＥＰ２０の「ＹＥＳ」）、操作表示部６２の表示部６２ａにおける表示内容は例えば図１１（ｂ）に示すようなものとなる。図１１（ｂ）に示すような表示部６２ａの表示において、例えば「２０ＵＮＦ×  １＋０」という表示は、損券の２０ユーロ札が通常モード（２回目の計数処理）で１枚計数されたということを意味する。なお、この表示において、右端の「０」は、後述する特定モード（３回目の計数処理）で計数される紙幣の枚数を意味する。また、リジェクト部４０に紙幣が存在する場合には、操作表示部６２に設けられたリジェクトランプ６２ｃ（図４参照）が点灯する。
【００８２】
２回目の紙幣の計数処理が終了した後、載置部１４に載置された紙幣が全て集積部３０に集積され、リジェクト部４０には紙幣が存在しない場合には（図１０ＢのＳＴＥＰ２１の「ＮＯ」）、操作表示部６２の操作キー６２ｂにおける確定（ＡＣＣＥＰＴ）キーが押下されると、または集積部３０から紙幣が取り出されると（図１０ＡのＳＴＥＰ３１の「ＹＥＳ」）、制御部６０において、識別計数部２０により計数され集積部３０に送られた紙幣の枚数が確定され（図１０ＡのＳＴＥＰ３１）、紙幣の計数処理が終了する。
【００８３】
一方、２回目の紙幣の計数処理が終了した後、リジェクト部４０に紙幣が存在する場合には（図１０ＡのＳＴＥＰ２１の「ＹＥＳ」）、リジェクト部４０に集積された紙幣をこのリジェクト部４０から取り出し、載置部１４に載置することによって（図１０ＣのＳＴＥＰ２２）、リジェクト部４０に集積された紙幣を再度識別する。この際に、操作者が、表示部６２ａに表示された「ＭＡＮＵＡＬ」という文字（図１１（ｂ）参照）に対応するＦ１キー（図４参照）を押下することによって、モード切換手段６６により、紙幣の処理モードが通常モードから特定モードに切り換えられる（図１０ＣのＳＴＥＰ２３）。モード切換手段６６により特定モードが設定されると、リジェクト部４０に集積された紙幣について３回目の計数処理を行う際に、識別計数部２０での識別要素の少なくとも一つが省略されて紙幣の識別が行われる。すなわち、通常モードが行われる１回目および２回目の紙幣の計数処理では、識別計数部２０で紙幣の金種、真偽および正損が識別されるようになっているが、特定モードが行われる３回目の紙幣の計数処理では、識別計数部２０で紙幣の真偽の識別が行われなくなり、または紙幣の正損の識別が行われなくなり、あるいは紙幣の真偽および正損の両方の識別が行われなくなる。
【００８４】
以下、特定モードにおいて、識別計数部２０で紙幣の真偽および正損の両方の識別が行われなくなる場合について説明する。この場合、特定モードにおいて識別計数部２０は紙幣の金種の識別および紙幣の計数を行うようになる。また、この場合には、リジェクト部４０に集積された紙幣をこのリジェクト部４０から取り出し、載置部１４に載置する際に、操作者は各々の紙幣について目視にて真偽を確認する。ここで、操作者により真券ではないと判断された紙幣は、載置部１４に載置されず操作者により回収される。
【００８５】
その後、操作者が操作表示部６２の操作キー６２ｂを押下することにより、紙幣の計数の開始の指令を制御部６０に与えると、載置部１４に積層状態で載置された紙幣は、最下層にある紙幣から順に１枚ずつ繰出部１６により筐体１２内の搬送部１８に繰り出される（図１０ＣのＳＴＥＰ２４）。繰出部１６により筐体１２内の搬送部１８に繰り出された紙幣は、当該搬送部１８により搬送され、識別計数部２０により紙幣の金種の識別および紙幣の計数が行われる（図１０ＣのＳＴＥＰ２５）。この際に、紙幣の真偽や正損の識別は行われない。
【００８６】
より詳細に説明すると、識別計数部２０により識別された紙幣が搬送異常券である場合には（図１０ＣのＳＴＥＰ２６の「ＹＥＳ」）、この紙幣はリジェクト券として搬送部１８により更に搬送されて分岐部２２によりリジェクト部４０に送られる（図１０ＣのＳＴＥＰ２９）。また、識別計数部２０における紙幣の金種判定においてどの金種の紙幣でもないと判定された場合には（図１０ＣのＳＴＥＰ２７の「ＹＥＳ」）、この紙幣はリジェクト券として搬送部１８により更に搬送されて分岐部２２によりリジェクト部４０に送られる（図１０ＣのＳＴＥＰ２９）。また、搬送異常券ではなく、金種の判定を行うことができるような紙幣は（図１０ＣのＳＴＥＰ２６の「ＮＯ」および図１０ＣのＳＴＥＰ２７の「ＮＯ」）、搬送部１８により更に搬送されて分岐部２２により集積部３０に送られる（図１０ＣのＳＴＥＰ２８）。この際に、異なる金種の紙幣が混合して集積部３０に集積されるようになる。
【００８７】
載置部１４に載置された紙幣が全て集積部３０またはリジェクト部４０に送られ、紙幣処理装置１０による３回目の紙幣の計数処理が終了すると（図１０ＣのＳＴＥＰ３０の「ＹＥＳ」）、操作表示部６２の表示部６２ａにおける表示内容は例えば図１１（ｃ）に示すようなものとなる。図１１（ｃ）に示すように、表示部６２ａには、各金種の正券について通常モード（１回目の計数処理）での計数結果が表示されるとともに、各金種の損券について、通常モード（２回目の計数処理）での計数結果と特定モード（３回目の計数処理）での計数結果とが区別して表示されるようになる。具体的には、図１１（ｃ）に示すような表示部６２ａの表示において、「２０ＦＩＴ×  ３」という表示は、２０ユーロ札の正券が通常モード（１回目の計数処理）で３枚計数され、「２０ＵＮＦ×  １＋１」という表示は、２０ユーロ札の損券が通常モード（２回目の計数処理）で１枚計数され、特定モード（３回目の計数処理）で１枚計数されたということを意味する。なお、特定モードにおいて識別計数部２０における識別で正損判定を省略した場合には、識別計数部２０により識別および計数が行われ集積部３０に送られた紙幣は損券として扱われるようになる。しかしながら、このことに限定されることはなく、特定モードにおいて識別計数部２０における識別で正損判定を省略した場合において、識別計数部２０により識別および計数が行われ集積部３０に送られた紙幣を正券として扱ってもよい。また、リジェクト部４０に紙幣が存在する場合には、操作表示部６２に設けられたリジェクトランプ６２ｃ（図４参照）が点灯する。
【００８８】
その後、操作表示部６２の操作キー６２ｂにおける確定（ＡＣＣＥＰＴ）キーが押下されると、または集積部３０から紙幣が取り出されると（図１０ＡのＳＴＥＰ３１の「ＹＥＳ」）、制御部６０において、１回目〜３回目の計数処理でそれぞれ識別計数部２０により計数され集積部３０に送られた紙幣の枚数が確定され（図１０ＡのＳＴＥＰ３２）、紙幣の計数処理が終了する。
【００８９】
なお、ＦＩＴ（ＭＩＸ）モードが行われる場合、特定モードにおいて、識別計数部２０で紙幣の真偽および正損の両方の識別が行われなくなることに限定されることはない。特定モードにおいて、識別計数部２０で紙幣の真偽または正損のいずれか一方のみの識別が行われなくなるようになっていてもよい。例えば、特定モードにおいて、紙幣の真偽の識別が行われなくなる場合には、識別計数部２０で紙幣の金種および正損が識別されるとともに紙幣の計数が行われるようになる。また、特定モードにおいて、紙幣の正損の識別が行われなくなる場合には、識別計数部２０で紙幣の金種および真偽が識別されるとともに紙幣の計数が行われるようになる。
【００９０】
次に、正券および損券の各種別について紙幣の計数が行われ、かつ、単一の金種の紙幣が集積部３０に集積されるような正損／単一金種モード（以下、ＦＩＴ（ＤＤ）モードともいう）について図１２Ａ〜図１２Ｃに示すフローチャートを用いて説明する。このような単一金種モードでは、概して同一の金種の複数の紙幣が紙幣処理装置１０により計数されるようになっている。
【００９１】
図４に示すような操作表示部６２の表示部６２ａの表示画面（初期画面）および各々の操作キー６２ｂにおいて、操作者が「ＦＩＴ」キー６２ｂ３を１回押下するとともに、操作者が「ＤＤ」キー６２ｂ２を１回押下すると、制御部６０においてＦＩＴ（ＤＤ）モードが設定される。次に、操作者は、計数が行われるべき紙幣を載置部１４に積層状態で載置した後、操作表示部６２の操作キー６２ｂを押下することにより、紙幣の計数の開始の指令を制御部６０に与えると、載置部１４に積層状態で載置された紙幣は、最下層にある紙幣から順に１枚ずつ繰出部１６により筐体１２内の搬送部１８に繰り出される（図１２ＡのＳＴＥＰ１）。繰出部１６により筐体１２内の搬送部１８に繰り出された紙幣は、当該搬送部１８により搬送され、識別計数部２０により、紙幣の金種、真偽および正損が識別されるとともに紙幣の計数が行われ（図１２ＡのＳＴＥＰ２）、紙幣の識別結果および計数結果が制御部６０に送られる。
【００９２】
識別計数部２０により識別された紙幣が、載置部１４に載置された複数の紙幣のうち最初に筐体１２内に繰り出されて識別計数部２０により最初に識別された紙幣である場合には（図１２ＡのＳＴＥＰ３の「ＹＥＳ」）、この１枚目の紙幣の金種を所定の金種に設定する（図１２ＡのＳＴＥＰ４）。すなわち、例えば最初に識別計数部２０により識別が行われた紙幣の金種が２０ユーロ紙幣である場合には、２０ユーロ紙幣が所定の金種として設定される。
【００９３】
識別計数部２０により識別された紙幣が搬送異常券である場合には（図１２ＡのＳＴＥＰ５の「ＹＥＳ」）、この紙幣はリジェクト券として搬送部１８により更に搬送されて分岐部２２によりリジェクト部４０に送られる（図１２ＡのＳＴＥＰ１０）。また、識別計数部２０における紙幣の金種判定において所定の金種ではないと判断された紙幣は（図１２ＡのＳＴＥＰ６の「ＮＯ」）、この紙幣は搬送部１８により更に搬送されて分岐部２２によりリジェクト部４０に送られる（図１２ＡのＳＴＥＰ１０）。また、識別計数部２０における紙幣の真偽判定において真券ではないと判断された場合には（図１２ＡのＳＴＥＰ７の「ＮＯ」）、この紙幣はリジェクト券として搬送部１８により更に搬送されて分岐部２２によりリジェクト部４０に送られる（図１２ＡのＳＴＥＰ１０）。また、識別計数部２０における紙幣の正損判定において正券であると判断された場合には（図１２ＡのＳＴＥＰ８の「ＹＥＳ」）、当該紙幣は搬送部１８により更に搬送されて分岐部２２により集積部３０に送られる（図１２ＡのＳＴＥＰ９）。一方、識別計数部２０における紙幣の正損判定において正券ではないと判断された場合には（図１２ＡのＳＴＥＰ８の「ＮＯ」）、この紙幣は搬送部１８により更に搬送されて分岐部２２によりリジェクト部４０に送られる（図１２ＡのＳＴＥＰ１０）。すなわち、２０ユーロ紙幣が所定の金種として設定されている場合には、搬送異常券ではなく、真券でありかつ正券である２０ユーロ紙幣のみが集積部３０に送られるようになる。
【００９４】
載置部１４に載置された紙幣が全て集積部３０またはリジェクト部４０に送られ、紙幣処理装置１０による１回目の紙幣の計数処理（通常モード）が終了すると（図１２ＡのＳＴＥＰ１１の「ＹＥＳ」）、操作表示部６２の表示部６２ａにおける表示内容は例えば図１３（ａ）に示すようなものとなる。図１３（ａ）に示すように、表示部６２ａには、所定の金種（例えば２０ユーロ紙幣）の紙幣の計数結果が正券（図１３において「ＦＩＴ」で表示）および損券（図１３において「ＵＮＦ」で表示）で区分けされた状態で表示される。具体的には、図１３（ａ）に示すような表示部６２ａの表示において、例えば「２０ＦＩＴ×  ５」という表示は、正券の２０ユーロ札が通常モード（１回目の計数処理）で５枚計数されたということを意味する。なお、「２０ＵＮＦ×  ０＋０」等という表示の内容については後述する。また、リジェクト部４０に紙幣が存在する場合には、操作表示部６２に設けられたリジェクトランプ６２ｃ（図４参照）が点灯する。
【００９５】
載置部１４に載置された紙幣が全て集積部３０に集積され、リジェクト部４０には紙幣が存在しない場合には（図１２ＡのＳＴＥＰ１２の「ＮＯ」）、操作表示部６２の操作キー６２ｂにおける確定（ＡＣＣＥＰＴ）キーが押下されると、または集積部３０から紙幣が取り出されると（図１２ＡのＳＴＥＰ３２の「ＹＥＳ」）、制御部６０において、識別計数部２０により計数され集積部３０に送られた紙幣の枚数が確定され（図１２ＡのＳＴＥＰ３３）、紙幣の計数処理が終了する。
【００９６】
一方、１回目の紙幣の計数処理が終了した後、リジェクト部４０に紙幣が存在する場合には（図１２ＡのＳＴＥＰ１２の「ＹＥＳ」）、集積部３０に集積された紙幣（正券）をこの集積部３０から取り出すとともに、リジェクト部４０に集積された紙幣を載置部１４に載置する（図１２ＢのＳＴＥＰ１３）。ここで、ＦＩＴ（ＤＤ）モードでは、１回目の紙幣の計数処理が終了した後、集積部３０から紙幣を取り出すことにより、制御部６０において、損券を集積部３０に集積させるとともに正券をリジェクト部４０に集積させるようなセカンド処理に切り換えられる。そして、操作者が操作表示部６２の操作キー６２ｂを押下することにより、紙幣の計数の開始の指令を制御部６０に与えると、載置部１４に積層状態で載置された紙幣は、最下層にある紙幣から順に１枚ずつ繰出部１６により筐体１２内の搬送部１８に繰り出される（図１２ＢのＳＴＥＰ１４）。繰出部１６により筐体１２内の搬送部１８に繰り出された紙幣は、当該搬送部１８により搬送され、識別計数部２０により、紙幣の金種、真偽および正損が識別されるとともに紙幣の計数が行われ（図１２ＢのＳＴＥＰ１５）、紙幣の識別結果および計数結果が制御部６０に送られる。
【００９７】
識別計数部２０により識別された紙幣が搬送異常券である場合には（図１２ＢのＳＴＥＰ１６の「ＹＥＳ」）、この紙幣はリジェクト券として搬送部１８により更に搬送されて分岐部２２によりリジェクト部４０に送られる（図１２ＢのＳＴＥＰ２１）。また、識別計数部２０における紙幣の金種判定において所定の金種ではないと判断された紙幣は（図１２ＢのＳＴＥＰ１７の「ＮＯ」）、この紙幣は搬送部１８により更に搬送されて分岐部２２によりリジェクト部４０に送られる（図１２ＢのＳＴＥＰ２１）。ここで、所定の金種とは、前述のように、載置部１４に載置された複数の紙幣のうち最初に筐体１２内に繰り出されて識別計数部２０により最初に識別および計数が行われた紙幣の金種のことをいう。また、識別計数部２０における紙幣の真偽判定において真券ではないと判断された場合には（図１２ＢのＳＴＥＰ１８の「ＮＯ」）、この紙幣はリジェクト券として搬送部１８により更に搬送されて分岐部２２によりリジェクト部４０に送られる（図１２ＢのＳＴＥＰ２１）。また、識別計数部２０における紙幣の正損判定において損券であると判断された場合には（図１２ＢのＳＴＥＰ１９の「ＹＥＳ」）、当該紙幣は搬送部１８により更に搬送されて分岐部２２により集積部３０に送られる（図１２ＢのＳＴＥＰ２０）。一方、識別計数部２０における紙幣の正損判定において損券ではないと判断された場合には、すなわち正券であると判断された場合には（図１２ＢのＳＴＥＰ１９の「ＮＯ」）、この紙幣は搬送部１８により更に搬送されて分岐部２２によりリジェクト部４０に送られる（図１２ＢのＳＴＥＰ２１）。すなわち、２０ユーロ紙幣が所定の金種として設定されている場合には、搬送異常券ではなく、真券でありかつ損券である２０ユーロ紙幣のみが集積部３０に送られるようになる。
【００９８】
載置部１４に載置された紙幣が全て集積部３０またはリジェクト部４０に送られ、紙幣処理装置１０による２回目の紙幣の計数処理が終了すると（図１２ＢのＳＴＥＰ２２の「ＹＥＳ」）、操作表示部６２の表示部６２ａにおける表示内容は例えば図１３（ｂ）に示すようなものとなる。図１３（ｂ）に示すような表示部６２ａの表示において、例えば「２０ＵＮＦ×  １＋０」という表示は、損券の２０ユーロ札が通常モード（２回目の計数処理）で１枚計数されたということを意味する。なお、この表示において、右端の「０」は、後述する特定モード（３回目の計数処理）で計数される紙幣の枚数を意味する。また、リジェクト部４０に紙幣が存在する場合には、操作表示部６２に設けられたリジェクトランプ６２ｃ（図４参照）が点灯する。
【００９９】
２回目の紙幣の計数処理が終了した後、載置部１４に載置された紙幣が全て集積部３０に集積され、リジェクト部４０には紙幣が存在しない場合には（図１２ＢのＳＴＥＰ２３の「ＮＯ」）、操作表示部６２の操作キー６２ｂにおける確定（ＡＣＣＥＰＴ）キーが押下されると、または集積部３０から紙幣が取り出されると（図１２ＡのＳＴＥＰ３２の「ＹＥＳ」）、制御部６０において、識別計数部２０により計数され集積部３０に送られた紙幣の枚数が確定され（図１２ＡのＳＴＥＰ３３）、紙幣の計数処理が終了する。
【０１００】
一方、２回目の紙幣の計数処理が終了した後、リジェクト部４０に紙幣が存在する場合には（図１２ＢのＳＴＥＰ２３の「ＹＥＳ」）、リジェクト部４０に集積された紙幣をこのリジェクト部４０から取り出し、載置部１４に載置することによって（図１２ＣのＳＴＥＰ２４）、リジェクト部４０に集積された紙幣を再度識別する。この際に、操作者が、表示部６２ａに表示された「ＭＡＮＵＡＬ」という文字（図１３（ｂ）参照）に対応するＦ１キー（図４参照）を押下することによって、モード切換手段６６により、紙幣の処理モードが通常モードから特定モードに切り換えられる（図１２ＣのＳＴＥＰ２５）。モード切換手段６６により特定モードが設定されると、リジェクト部４０に集積された紙幣について３回目の計数処理を行う際に、識別計数部２０での識別要素の少なくとも一つが省略されて紙幣の識別が行われる。すなわち、通常モードが行われる１回目および２回目の紙幣の計数処理では、識別計数部２０で紙幣の金種、真偽および正損が識別されるようになっているが、特定モードが行われる３回目の紙幣の計数処理では、識別計数部２０で紙幣の金種、真偽および正損のうち少なくとも一つの識別要素の識別が行われなくなる。
【０１０１】
以下、特定モードにおいて、識別計数部２０で紙幣の金種、真偽および正損の識別が行われなくなる場合について説明する。この場合、特定モードにおいて識別計数部２０は紙幣が搬送異常であるか否かの識別および紙幣の計数のみを行うようになる。また、この場合には、リジェクト部４０に集積された紙幣をこのリジェクト部４０から取り出し、載置部１４に載置する際に、操作者は各々の紙幣について目視にて真偽および金種を確認する。ここで、操作者により真券ではないと判断された紙幣や、所定の金種（すなわち、１回目の紙幣の計数処理において最初に識別計数部２０により識別および計数が行われた紙幣の金種）の紙幣ではないと判断された紙幣は、載置部１４に載置されず操作者により回収される。
【０１０２】
その後、操作者が操作表示部６２の操作キー６２ｂを押下することにより、紙幣の計数の開始の指令を制御部６０に与えると、載置部１４に積層状態で載置された紙幣は、最下層にある紙幣から順に１枚ずつ繰出部１６により筐体１２内の搬送部１８に繰り出される（図１２ＣのＳＴＥＰ２６）。繰出部１６により筐体１２内の搬送部１８に繰り出された紙幣は、当該搬送部１８により搬送され、識別計数部２０により紙幣の識別および計数が行われる（図１２ＣのＳＴＥＰ２７）。
【０１０３】
より詳細に説明すると、識別計数部２０により識別された紙幣が搬送異常券である場合には（図１２ＣのＳＴＥＰ２８の「ＹＥＳ」）、この紙幣はリジェクト券として搬送部１８により更に搬送されて分岐部２２によりリジェクト部４０に送られる（図１２ＣのＳＴＥＰ３０）。また、搬送異常券ではない紙幣は（図１２ＣのＳＴＥＰ２８の「ＮＯ」）、搬送部１８により更に搬送されて分岐部２２により集積部３０に送られる（図１２ＣのＳＴＥＰ２９）。
【０１０４】
載置部１４に載置された紙幣が全て集積部３０またはリジェクト部４０に送られ、紙幣処理装置１０による３回目の紙幣の計数処理が終了すると（図１２ＣのＳＴＥＰ３１の「ＹＥＳ」）、操作表示部６２の表示部６２ａにおける表示内容は例えば図１３（ｃ）に示すようなものとなる。図１３（ｃ）に示すように、表示部６２ａには、単一の金種の正券について通常モード（１回目の計数処理）での計数結果が表示されるとともに、単一の金種の損券について、通常モード（２回目の計数処理）での計数結果と特定モード（３回目の計数処理）での計数結果とが区別して表示されるようになる。具体的には、図１３（ｃ）に示すような表示部６２ａの表示において、「２０ＦＩＴ×  ３」という表示は、２０ユーロ札の正券が通常モード（１回目の計数処理）で３枚計数され、「２０ＵＮＦ×  １＋１」という表示は、２０ユーロ札の損券が通常モード（２回目の計数処理）で１枚計数され、特定モード（３回目の計数処理）で１枚計数されたということを意味する。前述のように、特定モードにおいて識別計数部２０における識別で正損判定を省略した場合には、識別計数部２０により識別および計数が行われ集積部３０に送られた紙幣は損券として扱われるようになる。また、リジェクト部４０に紙幣が存在する場合には、操作表示部６２に設けられたリジェクトランプ６２ｃ（図４参照）が点灯する。
【０１０５】
その後、操作表示部６２の操作キー６２ｂにおける確定（ＡＣＣＥＰＴ）キーが押下されると、または集積部３０から紙幣が取り出されると（図１０ＡのＳＴＥＰ３１の「ＹＥＳ」）、制御部６０において、１回目〜３回目の計数処理でそれぞれ識別計数部２０により計数され集積部３０に送られた紙幣の枚数が確定され（図１０ＡのＳＴＥＰ３２）、紙幣の計数処理が終了する。
【０１０６】
なお、ＦＩＴ（ＤＤ）モードが行われる場合、特定モードにおいて、識別計数部２０で紙幣の金種、真偽、正損の全ての識別が行われなくなることに限定されることはない。特定モードにおいて、識別計数部２０で紙幣の金種、真偽、正損の３つの識別要素のうち一つまたは二つの識別要素の識別が行われなくなるようになっていてもよい。
【０１０７】
図１４に、上述したＦＩＴ（ＭＩＸ）モードおよびＦＩＴ（ＤＤ）モードにおける、通常モードおよび特定モードの各々における識別計数部２０の識別要素を示す。図１４に示すように、ＦＩＴ（ＭＩＸ）モードでは、通常モードにおいて識別計数部２０により紙幣の金種、真偽および正損が識別されるとともに紙幣の計数が行われるようになっているが、特定モードにおいて識別計数部２０での識別要素のうち真偽および正損のうち少なくとも一つの識別要素が省略されるようになる（図１４におけるＦＩＴ（ＭＩＸ）モードの特定モード１〜３参照）。この場合、リジェクト部４０に集積された紙幣をこのリジェクト部４０から取り出し、載置部１４に載置する際に、操作者は各々の紙幣について目視にて真偽を確認するようになる。図１４におけるＦＩＴ（ＭＩＸ）モードの特定モード１〜３のうち、紙幣処理装置１０の導入時において初期設定により予めいずれか一つのモードが選択されるようになっている。あるいは、ＦＩＴ（ＭＩＸ）モードの特定モード１〜３は、操作者が操作表示部６２により設定や変更を行うことができるようになっていてもよい。
【０１０８】
また、図１４に示すように、ＦＩＴ（ＤＤ）モードでは、通常モードにおいて識別計数部２０により紙幣の金種、真偽および正損が識別されるとともに紙幣の計数が行われるようになっているが、特定モードにおいて識別計数部２０での識別要素のうち金種、真偽および正損のうち少なくとも一つの識別要素が省略されるようになる（図１４におけるＦＩＴ（ＤＤ）モードの特定モード１〜７参照）。この場合、リジェクト部４０に集積された紙幣をこのリジェクト部４０から取り出し、載置部１４に載置する際に、操作者は各々の紙幣について目視にて金種および／または真偽を確認するようになる。具体的には、特定モードにおいて識別計数部２０での識別要素のうち金種が省略されるような特定モード１、３、５、７では、リジェクト部４０に集積された紙幣をこのリジェクト部４０から取り出し、載置部１４に載置する際に、操作者は各々の紙幣について目視にて金種を確認するようになる。また、特定モードにおいて識別計数部２０での識別要素のうち真偽が省略されるような特定モード２、３、６、７では、リジェクト部４０に集積された紙幣をこのリジェクト部４０から取り出し、載置部１４に載置する際に、操作者は各々の紙幣について目視にて真偽を確認するようになる。図１４におけるＦＩＴ（ＤＤ）モードの特定モード１〜７のうち、紙幣処理装置１０の導入時において初期設定により予めいずれか一つのモードが選択されるようになっている。あるいは、ＦＩＴ（ＤＤ）モードの特定モード１〜７は、操作者が操作表示部６２により設定や変更を行うことができるようになっていてもよい。
【０１０９】
なお、上述したようなＦＩＴ（ＭＩＸ）モードやＦＩＴ（ＤＤ）モードでは、１回目の紙幣の計数処理で正券および損券のうち正券が集積部３０に集積され、損券がリジェクト部４０に集積されるようになっているが、このような態様に限定されるものではない。他の態様として、識別計数部２０が紙幣の金種、真偽および正損の識別を行うとともに紙幣の計数を行うようになっている場合、１回目の紙幣の計数処理で損券を集積部３０に集積し、正券をリジェクト部４０に集積するような処理モードを選択することができるようになっていてもよい。このような処理モードが選択された場合、２回目の紙幣の計数処理では、１回目の紙幣の計数処理でリジェクト部４０に集積された正券を載置部１４に載置し、この正券について識別計数部２０により紙幣の金種、真偽および正損の識別を行うとともに紙幣の計数を行う。そして、２回目の紙幣の計数処理が終了した後、モード切換手段６６により通常モードから特定モードに切り換えられ、２回目の紙幣の計数処理でリジェクト部４０に集積された紙幣を載置部１４に載置し、この紙幣について特定モードで３回目の紙幣の計数処理を行う。この際に、識別計数部２０は紙幣の金種、真偽および正損のうち少なくとも一つを識別しないとともに紙幣の計数を行うようになる。
【０１１０】
以上のように本実施の形態の紙幣処理装置１０によれば、通常モードによって載置部１４から繰出部１６により筐体１２内に取り込まれた紙幣が全て集積部３０またはリジェクト部４０に送られた後に、リジェクト部４０に集積された紙幣を再度識別する際に、モード切換手段６６により、通常モードから特定モードに切り換えられ、モード切換手段６６により特定モードが設定されると、識別計数部２０での識別要素の少なくとも一つを省略して紙幣の識別が行われるようになっている。このため、通常モードの計数処理においてリジェクト部４０に集積された紙幣について手入力を行う必要がなく自動的に計数を行うことができるようになり、紙幣の処理効率を向上させることができ、また違算の発生を抑制することができる。また、通常モードでの紙幣の計数結果と特定モードでの紙幣の計数結果とが区別して操作表示部６２の表示部６２ａに表示されるようになっている。このため、操作者は、通常モードの計数処理において集積部３０およびリジェクト部４０にそれぞれ集積された紙幣の枚数を区別して認識することができる。
【０１１１】
また、本実施の形態の紙幣処理装置１０においては、図９におけるＭＩＸモードの欄に示すように、通常モードにおいて、識別計数部２０が紙幣の金種および真偽を識別するとともに紙幣の計数を行うようになっており、かつ、異なる金種の紙幣が混合して集積部３０に集積されるようになっている場合には、特定モードにおいて、識別計数部２０は紙幣の金種のみを識別するとともに紙幣の計数を行うようになっている。また、図９におけるＤＤモードの欄に示すように、通常モードにおいて、識別計数部２０が紙幣の金種および真偽を識別するとともに紙幣の計数を行うようになっており、かつ、一つの金種の紙幣のみが集積部３０に集積されて他の金種の紙幣はリジェクト部４０に集積されるようになっている場合には、特定モードにおいて、識別計数部２０は紙幣の金種および真偽のうち少なくとも一つを識別しないとともに紙幣の計数を行うようになっている。
【０１１２】
また、本実施の形態の紙幣処理装置１０においては、図１４におけるＦＩＴ（ＭＩＸ）モードの欄に示すように、通常モードにおいて、識別計数部２０が紙幣の金種、真偽および正損を識別するとともに紙幣の計数を行うようになっており、かつ、正券および損券のうち一方の種別である、異なる金種の紙幣が混合して集積部３０に集積されるようになっている場合には、特定モードにおいて、識別計数部２０は紙幣の真偽および正損のうち少なくとも一つを識別しないとともに紙幣の計数を行うようになっている。また、図１４におけるＦＩＴ（ＤＤ）モードの欄に示すように、通常モードにおいて、識別計数部２０が紙幣の金種、真偽および正損を識別するとともに紙幣の計数を行うようになっており、かつ、正券および損券のうち一方の種別である、一つの金種の紙幣のみが集積部３０に集積されて他の紙幣はリジェクト部４０に集積されるようになっている場合には、特定モードにおいて、識別計数部２０は紙幣の金種、真偽および正損のうち少なくとも一つを識別しないとともに紙幣の計数を行うようになっている。
【０１１３】
また、本実施の形態の紙幣処理装置１０においては、上述のように、制御部６０は、特定モード時における紙幣の搬送速度が通常モード時における紙幣の搬送速度よりも小さくなるよう搬送部駆動機構１９の制御を行うようになっていてもよい。このことにより、特定モード時において紙幣が識別計数部２０を通過する際の紙幣の速度も小さくなり、識別計数部２０はより精度良く紙幣の識別を行うことができるようになる。
【０１１４】
また、本実施の形態の紙幣処理装置１０においては、上述のように、特定モードにおいて識別計数部２０により紙幣の搬送異常に係る識別が行われる際に、重送および長さ異常以外の紙幣の搬送異常が検出された場合でも制御部６０においてこの紙幣は搬送異常ではない紙幣として扱われるようになっていてもよい。このことにより、例えば識別計数部２０により識別および計数が行われる紙幣について、斜行等の軽微な搬送異常が生じている場合でも、この紙幣は搬送異常ではない紙幣として扱われるようになる。ここで、処理モードが通常モードから特定モードに切り換えられると、識別計数部２０において識別対象となる識別要素から真偽が省略される場合には、斜行等の軽微な搬送異常が生じているような紙幣でも、識別計数部２０において特定モードにおける紙幣の所定の識別（搬送異常券か否か等）および紙幣の計数を行うことができるようになる。このため、このような紙幣でも、当該紙幣の識別結果や計数結果を制御部６０において有効なものとすることができる。
【０１１５】
なお、本実施の形態の紙幣処理装置１０は、上記の態様に限定されるものではなく、様々の変更を加えることができる。
【０１１６】
例えば、識別計数部２０により識別される紙幣の識別要素は、金種、真偽および／または正損に限定されることはない。識別計数部２０により識別される紙幣の識別要素として、新旧、表裏、向き等を用いることもできる。この場合、モード切換手段６６により特定モードが設定されると、識別計数部２０でのこれらの新旧、表裏、向き等の識別要素の少なくとも一つが省略されて紙幣の識別が行われるようになっていてもよい。
【符号の説明】
【０１１７】
１０  紙幣処理装置
１２  筐体
１４  載置部
１５  紙幣有無センサ
１６  繰出部
１６ａ  キッカローラ
１６ｂ  フィードローラ
１６ｃ  逆転ローラ
１７  繰出部駆動機構
１８  搬送部
１９  搬送部駆動機構
２０  識別計数部
２０ａ  ラインセンサ
２０ｂ  厚み検出センサ
２０ｃ  磁気センサ
２２  分岐部
３０  集積部
３２  羽根車式集積機構
３２ａ  羽根車
３２ｂ  羽根
３４  シャッター
３５  シャッター駆動機構
３６  紙幣有無センサ
４０  リジェクト部
４２  紙幣整列部材
４４  紙幣有無センサ
６０  制御部
６２  操作表示部
６２ａ  表示部
６２ｂ  操作部
６２ｃ  リジェクトランプ
６４  記憶部
６６  モード切換手段
【図１】
0005587115.tif 000002
【図２】
0005587115.tif 000003
【図３】
0005587115.tif 000004
【図４】
0005587115.tif 000005
【図５Ａ】
0005587115.tif 000006
【図５Ｂ】
0005587115.tif 000007
【図６】
0005587115.tif 000008
【図７Ａ】
0005587115.tif 000009
【図７Ｂ】
0005587115.tif 000010
【図８】
0005587115.tif 000011
【図９】
0005587115.tif 000012
【図１０Ａ】
0005587115.tif 000013
【図１０Ｂ】
0005587115.tif 000014
【図１０Ｃ】
0005587115.tif 000015
【図１１】
0005587115.tif 000016
【図１２Ａ】
0005587115.tif 000017
【図１２Ｂ】
0005587115.tif 000018
【図１２Ｃ】
0005587115.tif 000019
【図１３】
0005587115.tif 000020
【図１４】
0005587115.tif 000021